(57)【要約】【課題】二次レンズを使用することなく、配光色ムラの改善されたバットウイング配光を可能とする発光装置を提供する。【解決手段】導体配線１０２を有する基体１０１と、基体１０１上に載置され、導体配線１０２と電気的に接続された発光素子１０５と、発光素子１０５を被覆する透光性の封止部材１０８と、を備え、封止部材１０８は凸形状であり、その光軸Ｌ方向の高さが、封止部材１０８の底面の幅よりも長く、かつ、光拡散材を含有することを特徴とする発光装置。【選択図】図１
2019161239.tif 000002
【特許請求の範囲】
【請求項１】
導体配線を有する基体と、
前記基体上に載置され、前記導体配線と電気的に接続された発光素子と、
前記発光素子を被覆する透光性の封止部材と、を備え、
前記封止部材は凸形状であり、その光軸方向の高さが、前記封止部材の底面の幅よりも長く、かつ、光拡散材を含有することを特徴とする発光装置。
【請求項２】
前記光軸方向の高さを、前記封止部材の底面の半径で割ったアスペクト比が２．０以上である請求項１に記載の発光装置。
【請求項３】
前記発光素子を点灯して前記光軸方向から観察したときに、中心部が外周部よりも暗い配光特性を示す請求項１または２に記載の発光装置。
【請求項４】
前記発光素子を点灯して前記光軸方向から観察したときに、中心部が外周部よりも暗い輝度分布を示す請求項１〜３のいずれか１項に記載の発光装置。
【請求項５】
前記発光素子が、前記基体から０．５ｍｍ以内の高さに配置される請求項１〜４のいずれか１項に記載の発光装置。
【請求項６】
前記封止部材に被覆された前記発光素子が前記基体に複数載置されており、隣接する前記発光素子の間隔が２０ｍｍ以上とされている請求項１〜５のいずれか１項に記載の発光装置。
【請求項７】
前記発光素子の周囲に波長変換部材を有する請求項１〜６のいずれか１項に記載の発光装置。
【請求項８】
前記波長変換部材の前記光軸方向の高さが、前記封止部材の光軸方向の高さの１／２以下である請求項７に記載の発光装置。
【請求項９】
前記波長変換部材の幅が、前記封止部材の幅の４／５以下である請求項７または８に記載の発光装置。
【請求項１０】
前記封止部材は、前記基体と接する領域の半径が、前記封止部材の幅方向の最大半径よりも小さい請求項１〜９のいずれか１項に記載の発光装置。
【請求項１１】
前記封止部材が蛍光体を含有する請求項１〜１０のいずれか１項に記載の発光装置。
【請求項１２】
前記封止部材が蛍光体を含有しており、前記波長変換部材の発光波長が、前記蛍光体の発光波長よりも長波である請求項７〜９のいずれか１項に記載の発光装置。
【請求項１３】
前記凸形状は、光軸近傍の曲率がその他の部分の曲率よりも小さい、請求項１〜１２のいずれか１項に記載の発光装置。
【発明の詳細な説明】
【技術分野】
【０００１】
本発明は、発光装置に関する。
【背景技術】
【０００２】
近年、様々な電子部品が提案され、また実用化されており、これらに求められる性能も高くなっている。特に、電子部品には、厳しい使用環境下でも長時間性能を維持することが求められている。このような要求は、発光ダイオード（ＬＥＤ：Light Emitting Diode）をはじめとする半導体発光素子を利用した発光装置についても例外ではない。すなわち、一般照明分野や車載照明分野において、発光装置に要求される性能は日増しに高まっており、更なる高出力（高輝度）化や高信頼性が要求されている。さらに、これらの高い性能を維持しつつ、低価格で供給することも要求されている。
特に液晶テレビに使用されるバックライトや一般照明器具等では、デザイン製が重要視され、薄型化の要望が高い。
【０００３】
例えば特許文献１には、二次光学レンズをＬＥＤと組み合わせることでバットウイング型の配光特性を実現し、短い照射距離で光を均一に拡散させることが出来、結果として器具の薄型化が可能となることが開示されている。
また特許文献２には、モールド形状を工夫してバットウイング配光を実現することが開示されている。
【先行技術文献】
【特許文献】
【０００４】
【特許文献１】特開２００６−１１４８６３号公報
【特許文献２】特開２０１２−２３１０３６号公報
【発明の概要】
【発明が解決しようとする課題】
【０００５】
しかしながら、特許文献１に記載される二次レンズと組み合わせる方法では、二次レンズへの入射時および二次レンズからの出射時に表面反射によるフレネルロスが発生し、光利用効率が低下する。また、レンズ費用と、レンズの実装費用が発生しコストが上昇する。
特許文献２に記載の方式では、蛍光体含有層の厚みが角度により異なり、配光色ムラが生じるため、色ムラの改善が望まれていた。
【０００６】
本発明に係る実施形態は、かかる事情に鑑みてなされたものであり、二次レンズを使用することなく、配光色ムラの改善されたバットウイング配光を可能とする発光装置を提供する。
【課題を解決するための手段】
【０００７】
本実施形態に係る発光装置は、導体配線を有する基体と、前記基体上に載置され、前記導体配線と電気的に接続された発光素子と、前記発光素子を被覆する透光性の封止部材と、を備え、前記封止部材は凸形状であり、その光軸方向の高さが、前記封止部材の底面の幅よりも長く、かつ、光拡散材を含有する。
【発明の効果】
【０００８】
本発明に係る実施形態によれば、二次レンズを使用することなく、配光色ムラの改善されたバットウイング配光を可能とする発光装置を提供することができる。
【図面の簡単な説明】
【０００９】
【図１】本実施形態の発光装置の一例を示す上面図及び断面図である。
【図２】本実施形態の発光装置の配光特性を示す図である。
【図３】本実施形態の発光装置の一例を示す断面図である。
【図４】本実施形態の発光装置の一例を示す断面図である。
【図５】本実施形態の発光装置の一例を示す断面図である。
【図６】本実施形態の発光装置の一例を示す上面図である。
【図７】実施例３〜５の発光装置の封止部材の形状の例を示す図である。
【図８】実施例３〜５の発光装置の配光特性を示す図である。
【図９】実施例３〜５の発光装置の輝度分布を示す図である。
【図１０】実施例３〜５の輝度分布図である。
【発明を実施するための形態】
【００１０】
以下、本発明の実施の形態について適宜図面を参照して説明する。ただし、以下に説明する発光装置は、技術思想を具体化するためのものであって、特定的な記載がない限り、本発明を以下のものに限定しない。また、一つの実施の形態、実施例において説明する内容は、他の実施の形態、実施例にも適用可能である。
さらに以下の説明において、同一の名称、符号については同一もしくは同質の部材を示しており、詳細な説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００１１】
［第１実施形態］
図１（Ａ）および図１（Ｂ）は、第１実施形態の発光装置の一例を示す概略構造図であり、図１（Ａ）は上面図、図１（Ｂ）は図１（Ａ）のＩ−Ｉ線における断面図である。
図１に示されるように、本実施形態における基体１０１は、基体の表面に設けられた一対の導体配線１０２に跨がるように、接続部材１０３を介してフリップチップ実装により発光素子１０５が実装されている。導体配線１０２の上面のうち、発光素子１０５との電気的に接続される領域は、絶縁部材１０４から露出されている。
【００１２】
発光素子１０５の下部（すなわち発光素子１０５の下面と基体１０１の間）および発光素子１０５の側面には、アンダーフィル１０６が形成され、その上部に光拡散材を含有した封止部材１０８が形成されている。
【００１３】
封止部材１０８は、凸形状（例えば略半長球状、略円錐状、略円柱状、きのこ型等）であり、その光軸（Ｌ）方向の高さＡが封止部材１０８の底面の幅Ｃよりも長くなるよう形成されている。なお、本明細書中の説明において、発光素子１０５の中心を通る法線を光軸Ｌという。このような構成とすることで、発光素子１０５から発した光が光拡散材で散乱され、発光装置１００から発せられる光強度は、封止部材１０８の見かけ面積比に略比例する。結果として、図２に示すようなバットウイング型の配光特性を実現することができる。つまり、本実施形態の発光装置１００は、発光素子１０５を点灯して光軸方向から観察したときに、中心部が外周部よりも暗くなるような配光特性を示す。
【００１４】
封止部材１０８は、上面視においてその外形が円形もしくは楕円形となるように形成されており、楕円形の場合、底面の半径Ｂは長半径と短半径が存在するが、本明細書では短半径を半径Ｂと定義する。
【００１５】
図２は、本実施形態に係る発光装置の配光特性を示した図である。図２に示すように、本実施形態の発光装置は、配光角が０°のときよりも５０〜６０°付近の相対光度が強くなり、配光が広くなる、いわゆるバットウイング型の配光特性を持つ。
図２では、光軸方向の封止部材の高さＡを、封止部材の底面の半径Ｂで割ったアスペクト比（Ａ／Ｂ）を、２．８、３．２、３．５とする場合をそれぞれ示している。アスペクト比が大きいほど０°付近の相対光度が低下し、配光が広がっていることがわかる。光を均一に拡散させるために、アスペクト比は２．０以上であることが好ましい。
【００１６】
発光素子１０５は、直接封止部材１０８で被覆されているため、二次レンズを使用する場合に比べて、フレネルロスを低減し、光取り出し効率を向上することができる。
また、発光素子１０５は、基体の上面から０．５ｍｍ以内の高さに配置されることが好ましい。
【００１７】
また、本実施形態の発光装置１００は、光拡散材の濃度を増やしていくと、発光素子１０５を点灯して光軸方向から観察したときに、中心部が外周部よりも暗い輝度分布を示す。
これは発光素子１０５から観て光軸方向の光路長が光軸の垂直方向の光路長より長いため発光素子１０５からの光が散乱し減衰していくからである。
よって光拡散材の濃度を調整する事で、アスペクト比をそれほど大きくしなくても光軸方向の光量を下げてバットウイング配光にすることが可能となり、樹脂量も少なく済み生産性が向上する。
【００１８】
以下、本実施の形態に係る発光装置１００の好ましい形態について説明する。
（基体１０１）
基体１０１は、発光素子１０５を載置するための部材である。基体１０１はその表面に、発光素子１０５に電力を供給するための導体配線１０２を有している。
基体１０１の材料としては、例えば、セラミックス、フェノール樹脂、エポキシ樹脂、ポリイミド樹脂、ＢＴレジン、ポリフタルアミド（ＰＰＡ）、ポリエチレンテレフタレート（ＰＥＴ）等の樹脂が挙げられる。なかでも、低コストと、成型容易性の点から、樹脂を絶縁性材料に選択することが好ましい。あるいは、耐熱性及び耐光性に優れた発光装置とするためには、セラミックスを基体１０１の材料として選択することが好ましい。
【００１９】
セラミックスとしては、例えば、アルミナ、ムライト、フォルステライト、ガラスセラミックス、窒化物系（例えば、ＡｌＮ）、炭化物系（例えば、ＳｉＣ）等が挙げられる。なかでも、アルミナからなる又はアルミナを主成分とするセラミックスが好ましい。
また、基体１０１を構成する材料に樹脂を用いる場合は、ガラス繊維や、ＳｉＯ２、ＴｉＯ２、Ａｌ２Ｏ３等の無機フィラーを樹脂に混合し、機械的強度の向上、熱膨張率の低減、光反射率の向上等を図ることもできる。また、基体１０１としては、一対の導体配線１０２を絶縁分離できるものであればよく、金属部材に絶縁層を形成している、いわゆる金属基板を用いてもよい。
【００２０】
（導体配線１０２）
導体配線１０２は、発光素子１０５の電極と電気的に接続され、外部からの電流（電力）を供給するための部材である。すなわち、外部から通電させるための電極またはその一部としての役割を担うものである。通常、正と負の少なくとも２つに離間して形成される。
【００２１】
導体配線１０２は、発光素子１０５の載置面となる基体の、少なくとも上面に形成される。導体配線１０２の材料は、基体１０１として用いられる材料や製造方法等によって適宜選択することができる。例えば、基体１０１の材料としてセラミックを用いる場合は、導体配線１０２の材料は、セラミックスシートの焼成温度にも耐え得る高融点を有する材料が好ましく、例えば、タングステン、モリブデンのような高融点の金属を用いるのが好ましい。さらに、その上に鍍金やスパッタリング、蒸着などにより、ニッケル、金、銀など他の金属材料にて被覆してもよい。
【００２２】
また、基体１０１の材料としてガラスエポキシ樹脂を用いる場合は、導体配線１０２の材料は、加工し易い材料が好ましい。また、射出成型されたエポキシ樹脂を用いる場合には、導体配線１０２の材料は、打ち抜き加工、エッチング加工、屈曲加工などの加工がし易く、かつ、比較的大きい機械的強度を有する部材が好ましい。具体例としては、銅、アルミニウム、金、銀、タングステン、鉄、ニッケル等の金属、または、鉄−ニッケル合金、りん青銅、鉄入り銅、モリブデン等の金属層やリードフレーム等が挙げられる。また、その表面を、さらに金属材料で被覆してもよい。この材料は特に限定されないが、例えば、銀のみ、あるいは、銀と、銅、金、アルミニウム、ロジウム等との合金、または、これら、銀や各合金を用いた多層膜とすることができる。また、金属材料の配置方法は、鍍金法の他にスパッタ法や蒸着法などを用いることができる。
【００２３】
（接続部材１０３）
接続部材１０３は、発光素子１０５を基体１０１または導体配線１０２に固定するための部材である。絶縁性の樹脂や導電性の部材が挙げられ、図１Ｂに示すようなフリップチップ実装の場合は導電性の部材が用いられる。具体的にはＡｕ含有合金、Ａｇ含有合金、Ｐｄ含有合金、Ｉｎ含有合金、Ｐｂ−Ｐｄ含有合金、Ａｕ−Ｇａ含有合金、Ａｕ−Ｓｎ含有合金、Ｓｎ含有合金、Ｓｎ−Ｃｕ含有合金、Ｓｎ−Ｃｕ−Ａｇ含有合金、Ａｕ−Ｇｅ含有合金、Ａｕ−Ｓｉ含有合金、Ａｌ含有合金、Ｃｕ−Ｉｎ含有合金、金属とフラックスの混合物等を挙げることができる。
【００２４】
接続部材１０３としては、液状、ペースト状、固体状（シート状、ブロック状、粉末状、ワイヤー状）のものを用いることができ、組成や基体の形状等に応じて、適宜選択することができる。また、これらの接続部材１０３は、単一部材で形成してもよく、あるいは、数種のものを組み合わせて用いてもよい。
【００２５】
（絶縁部材１０４）
導体配線１０２は、発光素子１０５や他材料と電気的に接続する部分以外は絶縁部材１０４で被覆されている事が好ましい。すなわち、各図に示されるように、基体上には、導体配線１０２を絶縁被覆するためのレジストが配置されていても良く、絶縁部材１０４はレジストとして機能させることができる。
【００２６】
絶縁部材１０４を配置させる場合には、導体配線１０２の絶縁を行う目的だけでなく、以下に述べるアンダーフィル材料と同様な白色系のフィラーを含有させることにより、光の漏れや吸収を防いで、発光装置１００の光取り出し効率を上げることもできる。
絶縁部材１０４の材料は、発光素子からの光の吸収が少ない材料であり、絶縁性であれば特に限定されない。例えば、エポキシ、シリコーン、変性シリコーン、ウレタン樹脂、オキセタン樹脂、アクリル、ポリカーボネイト、ポリイミド等を用いることができる。
【００２７】
（発光素子１０５）
基体に搭載される発光素子１０５は、特に限定されず、公知のものを利用できるが、本形態においては、発光素子１０５として発光ダイオードを用いるのが好ましい。
発光素子１０５は、任意の波長のものを選択することができる。例えば、青色、緑色の
発光素子としては、ＺｎＳｅや窒化物系半導体（ＩｎｘＡｌｙＧａ１−ｘ−ｙＮ、０≦Ｘ、０≦Ｙ、Ｘ＋Ｙ≦１）、ＧａＰを用いたものを用いることができる。また、赤色の発光素子としては、ＧａＡｌＡｓ、ＡｌＩｎＧａＰなどを用いることができる。さらに、これ以外の材料からなる半導体発光素子を用いることもできる。用いる発光素子の組成や発光色、大きさや、個数などは目的に応じて適宜選択することができる。
【００２８】
半導体層の材料やその混晶度によって発光波長を種々選択することができる。同一面側に正負の電極を有するものであってもよいし、異なる面に正負の電極を有するものであってもよい。
【００２９】
本実施形態の発光素子１０５は、透光性の基板と、その基板の上に積層された半導体層を有する。この半導体層には、順にｎ型半導体層、活性層、ｐ型半導体層が形成されており、ｎ型半導体層にｎ型電極が形成されており、ｐ型半導体層にｐ型電極が形成されている。
【００３０】
発光素子１０５の電極は、図１に示すように、接続部材１０３を介して基体１０１の表面の導体配線１０２にフリップチップ実装されており、電極の形成された面と対向する面、すなわち透光性基板の主面を光取り出し面としている。発光素子１０５は、正と負に絶縁分離された２つの導体配線１０２に跨るように配置されており、導電性の接続部材１０３によって電気的に接続され、機械的に固定されている。この発光素子１０５の実装方法は、半田ペーストを用いた実装方法の他、例えばバンプを用いた実装方法とすることができる。また、発光素子１０５としては発光素子が樹脂等で封止された小型のパッケージ品を用いることも可能であり、特に形状や構造を限定する物では無い。
【００３１】
なお、後述するように、波長変換部材を備えた発光装置とする場合には、その波長変換部材１０９を効率良く励起できる短波長が発光可能な窒化物半導体（ＩｎｘＡｌｙＧａ１−ｘ−ｙＮ、０≦Ｘ、０≦Ｙ、Ｘ＋Ｙ≦１）が好適に挙げられる。
【００３２】
（アンダーフィル１０６）
発光素子１０５をフリップチップ実装する場合には、発光素子１０５と基体１０１の間にアンダーフィル１０６が形成されていることが好ましい。アンダーフィル１０６は、発光素子１０５からの光を効率よく反射できるようにすることと、熱膨張率を発光素子１０５に近づけることを目的として、フィラーを含有している。
アンダーフィル１０６の材料は、発光素子からの光の吸収が少ない材料であれば、特に限定されない。例えば、エポキシ、シリコーン、変性シリコーン、ウレタン樹脂、オキセタン樹脂、アクリル、ポリカーボネイト、ポリイミド等を用いることができる。
【００３３】
アンダーフィル１０６に含有するフィラーとしては、白色系のフィラーであれば、光がより反射され易くなり、光の取り出し効率の向上を図ることができる。また、フィラーとしては、無機化合物を用いるのが好ましい。ここでの白色とは、フィラー自体が透明であった場合でもフィラーの周りの材料と屈折率差がある場合に散乱で白色に見えるものも含む。
【００３４】
ここで、フィラーの反射率は、発光波長の光に対して５０％以上であることが好ましく、７０％以上であることがより好ましい。このようにすれば、発光装置１００の光の取り出し効率を向上させることができる。また、フィラーの粒径は、１ｎｍ以上１０μｍ以下が好ましい。フィラーの粒径をこの範囲とすることで、アンダーフィルとしての樹脂流動性が良くなり、狭い隙間でも問題なく被覆することができる。なお、フィラーの粒径は、好ましくは、１００ｎｍ以上５μｍ以下、さらに好ましくは２００ｎｍ以上２μｍ以下である。また、フィラーの形状は、球形でも鱗片形状でもよい。
【００３５】
なお、フィラーの粒径やアンダーフィルの材料を適宜選択および調整することにより、発光素子の側面が、アンダーフィルによって被覆されないようにすることが好ましい。発光素子の側面を光取り出し面として確保するためである。
【００３６】
（封止部材１０８）
封止部材１０８は、発光素子１０５を外部環境から保護するとともに、発光素子から出力される光を光学的に制御するため、発光素子１０５を被覆するように基体上に配置させる部材である。本実施形態においては、発光素子１０５は封止部材１０８で直接被覆されている。
【００３７】
封止部材１０８の材料としては、エポキシ樹脂やシリコーン樹脂あるいはそれらを混合させた樹脂や、ガラスなどの透光性材料を用いることができる。これらのうち、耐光性および成形のしやすさを考慮して、シリコーン樹脂を選択することが好ましい。
【００３８】
封止部材１０８は、発光素子１０５からの光を拡散させるための光拡散材を含有する。光拡散材を有することで、発光素子１０５から光軸Ｌ方向に出射された光が光拡散材によって全包囲に拡散される。
【００３９】
なお封止部材１０８には、光拡散材に加え、発光素子１０５からの光を吸収して発光素子からの出力光とは異なる波長の光を発する蛍光体等の波長変換部材や、発光素子の発光色に対応させて、着色剤を含有させることもできる。
【００４０】
封止部材１０８は、発光素子１０５を被覆するように圧縮成型や射出成型によって形成することができる。その他、封止部材１０８の材料の粘度を最適化して、発光素子１０５の上に滴下もしくは描画して、材料自体の表面張力によって、各図に示されるような形状を形成することができる。
【００４１】
後者の形成方法による場合には、金型を必要とすることなく、より簡便な方法で封止部材を形成することができる。また、このような形成方法による封止部材の材料の粘度を調整する手段として、その材料本来の粘度の他、上述したような光拡散材、波長変換部材、着色剤を利用して所望の粘度に調整することもできる。
【００４２】
（光拡散材）
光拡散材としては、具体的には、ＳｉＯ２、Ａｌ２Ｏ３、Ａｌ（ＯＨ）３、ＭｇＣＯ３、ＴｉＯ２、ＺｒＯ２、ＺｎＯ、Ｎｂ２Ｏ５、ＭｇＯ、Ｍｇ（ＯＨ）２、ＳｒＯ、Ｉｎ２Ｏ３、ＴａＯ２、ＨｆＯ、ＳｅＯ、Ｙ２Ｏ３、ＣａＯ、Ｎａ２Ｏ、Ｂ２Ｏ３などの酸化物、ＳｉＮ、ＡｌＮ、ＡｌＯＮなどの窒化物、ＭｇＦ２のようなフッ化物などが挙げられる。これらは、単独で用いてもよいし、混合して用いてもよい。あるいは、複数の層に分けてこれらを積層させるようにしてもよい。
【００４３】
また、光拡散材として有機フィラーを用いてもよい。例えば各種樹脂を粒子状としたものが挙げられる。この場合、各種樹脂としては例えば、シリコーン樹脂、ポリカーボネイト樹脂、ポリエーテルスルホン樹脂、ポリアリレート樹脂、ポリテトラフルオロエチレン樹脂、エポキシ樹脂、シアナート樹脂、フェノール樹脂、アクリル樹脂、ポリイミド樹脂、ポリスチレン樹脂、ポリプロピレン樹脂、ポリビニルアセタール樹脂、ポリメタクリル酸メチル樹脂、ウレタン樹脂及びポリエステル樹脂などが挙げられる。
【００４４】
光拡散材は、実質的に発光素子からの光を波長変換しない材料であることが好ましい。これにより、波長変換部材含有層の厚みが角度により異なることによる、配光色ムラを抑制することができる。
【００４５】
光拡散材の含有量は、光が拡散される程度であればよく、例えば０．０１〜３０ｗｔ％程度、好ましくは２〜２０ｗｔ％程度である。また、光拡散材のサイズも同様に光が拡散される程度であればよく、例えば０．０１〜３０μｍ程度、好ましくは０．５〜１０μｍ程度である。形状は、球形でも鱗片形状でもよいが、均一に拡散させるために球状であることが好ましい。ただし光拡散材濃度は封止材との屈折率差や厚みにより相対的に変化する物であり、上述の数字はあくまでも目安である。
例えば、発光素子自体は、通常、光軸方向への光強度が最も強くなる。そのため拡散材の濃度が低すぎると、発光素子を点灯して光軸方向から観察したときに、中心部が外周部よりも暗い輝度分布にならない場合がある。よって、中心部が外周部よりも暗い輝度分布になるように、拡散材の濃度を調整することが好ましい。
【００４６】
また、封止部材１０８中の光拡散材の濃度を制御することで、発光装置１００を光軸上から観測して、中心部を暗くして外周を明るくすることが出来る。この様な構成とすることで、より光軸方向の光量を抑制しバットウイング型の配光特性を得ることができる。
【００４７】
本実施形態の発光装置では、二次レンズを用いることなく広配光を実現することができるため、発光素子１０５が基体１０１上に複数載置されている場合に、隣接する発光素子の間隔が２０ｍｍ以上であっても、短い照射距離で光を均一に拡散させることができる。これにより、複数の発光素子を用いて輝度ムラの抑制された面光源を実現することができる。ここで隣接する発光素子の間隔とは、図６の距離Ｆで示すように、隣接する２つの発光素子１０５の最短距離のことをいうものとする。
【００４８】
［第２実施形態］
図３は、第２実施形態の発光装置の一例を示す断面図である。
本実施形態では、発光素子１０５に接して波長変換部材１０９が配置されており、波長変換部材１０９を被覆するように光拡散材の含有された封止部材１０８が形成されている。
【００４９】
上述したように、封止部材１０８の全部に波長変換部材を含有する場合には、波長変換部材含有層の厚みが角度により異なり、配光色ムラが生じる。そのため、本実施形態では、波長変換部材１０９を発光素子１０５の周囲に形成し、その上から光学性能を持たせた封止部材１０８を形成する。これにより、波長変換が行われる領域（波長変換部材１０９）と、光学性能が付与される領域（封止部材１０８）を分けて形成することができるため、所望の配光特性を実現させつつ、配光色ムラが抑制される。
【００５０】
（波長変換部材１０９）
波長変換部材としては、例えば、窒化物系半導体を発光層とする発光素子からの光を吸収し、異なる波長の光に波長変換するものであればよい。蛍光物質は、例えば、Ｅｕ、Ｃｅ等のランタノイド系元素で主に賦活される、窒化物系蛍光体、酸窒化物系蛍光体を用いることができる。より具体的には、大別して下記（Ｄ１）〜（Ｄ３）にそれぞれ記載された中から選ばれる少なくともいずれか１以上であることが好ましい。
（Ｄ１）Ｅｕ等のランタノイド系、Ｍｎ等の遷移金属系の元素により主に賦活される、アルカリ土類ハロゲンアパタイト、アルカリ土類金属ホウ酸ハロゲン、アルカリ土類金属アルミン酸塩、アルカリ土類金属硫化物、アルカリ土類金属チオガレート、アルカリ土類金属窒化ケイ素、ゲルマン酸塩等の蛍光体
（Ｄ２）Ｃｅ等のランタノイド系元素で主に賦活される、希土類アルミン酸塩、希土類ケイ酸塩、アルカリ土類金属希土類ケイ酸塩等の蛍光体
（Ｄ３）Ｅｕ等のランタノイド系元素で主に賦活される、有機または有機錯体等の蛍光体
【００５１】
中でも、前記（Ｄ２）のＣｅ等のランタノイド系元素で主に賦活される希土類アルミン酸塩蛍光体であるＹＡＧ（Yttrium Aluminum Garnet）系蛍光体が好ましい。ＹＡＧ系蛍光体は、次の（Ｄ２１）〜（Ｄ２４）などの組成式で表される。
（Ｄ２１）Ｙ３Ａｌ５Ｏ１２：Ｃｅ
（Ｄ２２）（Ｙ０．８Ｇｄ０．２）３Ａｌ５Ｏ１２：Ｃｅ
（Ｄ２３）Ｙ３（Ａｌ０．８Ｇａ０．２）５Ｏ１２：Ｃｅ
（Ｄ２４）（Ｙ，Ｇｄ）３（Ａｌ，Ｇａ）５Ｏ１２：Ｃｅ
【００５２】
また、例えば、Ｙの一部または全部をＴｂ、Ｌｕ等で置換してもよい。具体的には、Ｔｂ３Ａｌ５Ｏ１２：Ｃｅ、Ｌｕ３Ａｌ５Ｏ１２：Ｃｅ等でもよい。さらに、前記した蛍光体以外の蛍光体であって、同様の性能、作用、効果を有する蛍光体も使用することができる。
【００５３】
このような蛍光体の粒径としては、例えば２．５〜３０μｍ程度とすることが好ましい。
なお、本明細書で「粒径」とする場合は、平均粒径のことを指すものとし、その値は、空気透過法又はＦ．Ｓ．Ｓ．Ｓ．Ｎｏ（Ｆｉｓｈｅｒ−ＳｕｂＳｉｅｖｅ−Ｓｉｚｅｒｓ−Ｎｏ．）によるものとする（いわゆるＤバー（Ｄの上にバー）で表される値）。
【００５４】
波長変換部材は、例えば、いわゆるナノクリスタル、量子ドットと称される発光物質でもよい。このような材料としては、半導体材料、例えば、ＩＩ−ＶＩ族、ＩＩＩ−Ｖ族、ＩＶ−ＶＩ族、Ｉ−ＩＩＩ−ＶＩ族の半導体、具体的には、ＣｄＳｅ、コアシェル型のＣｄＳＸＳｅ１−Ｘ／ＺｎＳ、ＧａＰ、ＩｎＡｓ、ＩｎＰ、ＧａＮ、ＰｂＳ、ＰｂＳｅ、Ｃｕ（Ｉｎ，Ｇａ）Ｓ２、Ａｇ（Ｉｎ，Ｇａ）Ｓ２等のナノサイズの高分散粒子を挙げることができる。このような量子ドットは、例えば、粒径１〜１００ｎｍ、好ましくは１〜２０ｎｍ程度（原子が１０〜５０個程度）とすることができる。このような粒径の量子ドットを用いることにより、内部散乱を抑制することができ、波長変換領域での光の散乱を抑制することができる。
【００５５】
図３に示す発光装置２００は、発光素子１０５の周囲に波長変換部材１０９を有している以外は第１実施形態の発光装置１００と同様の構成を有してよい。
本実施形態では、波長変換部材１０９は、封止部材１０８と同様に、光軸Ｌ方向に凸形状とされている。発光素子から封止部材１０８へ至るまでの間に波長変換が行われるように発光素子１０５の表面が露出されている部分に波長変換部材１０９が接するように配置されている。図３に示す例では、波長変換部材１０９は発光素子１０５を被覆する略半球状に形成されている。
【００５６】
波長変換部材１０９は、上面視においてその外形が円形もしくは楕円形となるよう形成されていることが好ましい。
【００５７】
波長変換部材１０９の光軸（Ｌ）方向の高さ（Ｄ）は、封止部材１０８の光軸（Ｌ）方向の高さ（Ａ）の１／２以下であることが好ましい。これにより封止部材１０８の厚みが確保でき色ムラの軽減が可能となる。
【００５８】
また、波長変換部材１０９の幅（Ｅ）は、封止部材１０８の幅（Ｃ）の４／５以下であることが好ましい。これにより封止部材１０８の厚みが確保でき色ムラの軽減が可能となる。
【００５９】
なお、第２実施形態の発光装置の封止部材１０８に、さらに蛍光体等の波長変換部材を含有させてもよい。この場合、波長変換部材１０９の発光波長は、封止部材１０８に含有される蛍光体等の波長変換部材の発光波長よりも長波であることが好ましい。これにより波長変換部材１０９で波長変換された光が、封止部材に含有された波長変換部材に再度波長変換されることを抑制することができる。
【００６０】
［第２実施形態の変形例］
図４は、第２実施形態の発光装置２００の変形例を示す断面図である。本変形例の発光装置３００は、発光素子１０５として、発光素子に波長変換部材と反射部材２０３を備えた小型のＬＥＤパッケージ品を用いたものである。具体的には、発光素子１０５の側面及び下面を反射部材２０３で被覆し、発光素子１０５の上面に波長変換部材１０９を備えたＬＥＤパッケージ２０１を、基体１０１に載置している。ＬＥＤパッケージ２０１の端子２０４と、導体配線１０２が、接続部材１０３により電気的に接続されている。
【００６１】
この変形例によっても、第２実施形態と同様に、波長変換が行われる領域と、光学性能が付与される領域を分けて形成することができるため、配光色ムラが抑制される。この様な構成とすることで予め色度を選別した光源を使用することができるため、製品の色度歩留まりを向上することが可能である。
【００６２】
［第３実施形態］
図５は、第３実施形態の発光装置４００の一例を示す断面図である。
本実施形態では、封止部材１０８と基体１０１とが接する領域（封止部材１０８の底面）の半径が、封止部材１０８の幅方向の最大半径よりも小さくなるよう形成されている。このように、封止部材１０８が基体１０１近傍において逆テーパー部２０５を有することにより、発光素子から光軸（Ｌ）に対して真横方向に出た光が、屈折により基体上面方向に向きが変わることで、基体に当たる事無く全面を照らす光量を増やすことができる。封止部材１０８が、基体１０１近傍において逆テーパー状となる以外は、第１実施形態の発光装置１００または第２実施形態の発光装置２００と同様の構成を有してよい。
【００６３】
以下、実施例により具体的に説明するが、本発明はこれらの実施例に限定されるものではない。
［実施例１］
本実施例は、図１Ａおよび図１Ｂに示すように、基体１０１としてガラスエポキシ基材を用い、導体配線として３５μｍのＣｕ材を用いる。
発光素子は、平面視が１辺６００μｍの正方形で、厚みが１５０μｍの窒化物系青色ＬＥＤを用い、絶縁部材１０４にはエポキシ系の白色ソルダーレジストを用いる。アンダーフィル１０６として、酸化チタンをフィラーとして３０ｗｔ％含有したシリコーン樹脂を用い、発光素子１０５の下面及び側面をアンダーフィル１０６で被覆している。封止部材１０８は、光拡散材としてＳｉＯ２フィラーを３０ｗｔ％含有したシリコーン樹脂を用い、図１Ａおよび図１Ｂに示すように、上面視の外形が円形である、略半長球状である。光軸方向の高さＡが５．５ｍｍ、封止部材１０８の底面の半径Ｂは１．７ｍｍとし、アスペクト比（Ａ／Ｂ）が３．２である。
【００６４】
この様な構成とすることで、発光素子１０５から発した光が光拡散材であるＳｉＯ２フィラーで散乱することにより、発光装置１００から発せられる光強度は封止部材１０８の見かけ面積比に略比例する。結果として図２にアスペクト比３．２として示すような配光特性を実現することができる。この配光は、０°付近の相対光度よりも、５０°〜６０°付近の相対光度が高くなっており、バットウイング配光として制御することが可能となる。
【００６５】
［実施例２］
本実施例は、図３に示すように、波長変換部材１０９を含有する封止部材１０８が発光素子１０５の周囲に形成されている以外は実施例１と同様である。
本実施例の波長変換部材１０９はＹＡＧ系蛍光体を含有するシリコーン樹脂を使用し、封止部材１０８は光拡散材としてＳｉＯ２フィラーを含有するシリコーン樹脂を使用している。
この様な構成とすることで、発光素子１０５の青色光と波長変換部材１０９で波長変換された黄色光とで白色光が合成され、封止部材１０８内で更に拡散されることにより全方向に色ムラの少ないバットウイング配光が得られる。
【００６６】
実施例３〜５として、封止部材１０８の形状を変化させ、配光特性と輝度分布を確認した。実施例３の発光装置を図７（Ａ）に、実施例４の発光装置を図７（Ｂ）に、実施例５の発光装置を図７（Ｃ）に示す。
【００６７】
実施例３〜５の発光装置は、封止部材１０８が凸形状であり、その光軸方向の高さが、封止部材１０８の底面の幅よりも長く、かつ、光拡散材を含有している点、および封止部材１０８の上表面が曲率を有している点について共通している。
また、基体としてガラスエポキシ基材を用い、導体配線として３５μｍのＣｕ材を用いる。発光素子は、平面視が１辺６００μｍの正方形で、厚みが１５０μｍの窒化物系青色ＬＥＤを用い、絶縁部材にはエポキシ系の白色ソルダーレジストを用いる点が共通している。
【００６８】
［実施例３］
実施例３の封止部材１０８は、図７（Ａ）に示すように、光軸近傍の曲率が、その他の部分の曲率よりも大きく、円錐型に近い形状とされている。封止部材の側面も曲率を有している。実施例３では、図３で示したように、発光素子上に蛍光体を塗布する方式で蛍光体層を形成している。蛍光体はＹＡＧ系の蛍光体を用い、白色発光装置とされている。
【００６９】
［実施例４］
実施例４の封止部材１０８は、図７（Ｂ）に示すように、光軸近傍の曲率が、その他の部分の曲率よりも小さく、光軸近傍の表面が平坦に近い形状とされている。また、封止部材の側面に、基体の上面（発光素子の上面）に対して略垂直となる面を有しており、円柱状に近い形状とされている。
【００７０】
このような形状は次のようにして形成することができる。
まず、ナノフィラーを添加して高チキソ化した樹脂に拡散材を分散させて調合した樹脂を用い、ディスペンサの上下方向（ｚ方向）を制御して引き上げながら樹脂を塗布し、必要な高さまで引き上げたら引き上げを止めて、垂直断面が長方形に近い形になるまで樹脂を供給する。所望の形状になったら樹脂の供給を終了し、上面を擦りきるようにして樹脂の糸切りを行う。なお、ここでは、封止部材の上面が曲率を持った例を示したが、上面が平坦とされていてもよい。
実施例４では、実施例３と同様に発光素子上に蛍光体を塗布する方式で蛍光体層が形成されており、白色発光装置とされている。
【００７１】
［実施例５］
実施例５の封止部材１０８は、図７（Ｃ）に示すように、上部１０と下部２０とを有しており、上部１０は、下部２０の径Ｈよりも大きい径Ｇを有するきのこ型とされている。また、上部１０において、実施例４と同様に光軸近傍の曲率がその他の部分の曲率よりも小さく、光軸近傍の表面が平坦に近い形状とされている。下部２０の側面は、基体の上面（発光素子の上面）に対して略垂直となる面を有して略円柱状に形成されており、上部１０は、略球状に形成されている。
また、封止部材の側面は、下方から上方にいくに従ってその径が大きくなり、径Ｇの点で最大となった後、さらに上方にいくに従って徐々に小さくなる。このように、発光装置を上面視したときに、上部１０が下部２０を包含するように重なることで、輝度が高くなる封止部材の底部の周囲が上面視した際に直接見えなくなるため、後述するように、均一性を向上させることができる。
実施例５では、図４で示したようなＬＥＤパッケージ２０１を用いて蛍光体層を形成することで白色発光装置とされている。
【００７２】
（配向特性及び輝度分布）
図８に示すように、各発光装置の配光特性は、全てバットウイング配光となる。実施例５の発光装置は、実施例３及び実施例４の発光装置に比べて光軸近傍の明るさが平坦になっている以外は、略同じような配光特性を示す。
一方、図９は実施例３〜５の発光装置の封止部材１０８とその周囲の上面視の輝度分布を示すグラフであり、図１０は上面視での面内輝度分布である。図１０（Ａ）は実施例３、図１０（Ｂ）は実施例４、図１０（Ｃ）は実施例５の輝度分布を示している。
図９及び図１０の輝度分布をみると、実施例５の発光装置が最も均一性が良い結果となる。ここで、均一性とは、光軸近傍の最も暗い部分(暗部)の輝度と最も明るい部分（明部）の輝度の明暗比（暗部／明部）のことをいう。この値が大きいほど、明部と暗部の差が小さいということであり、均一性がよいものとする。なお、実施例３の明暗比は０．１５７、実施例４の明暗比は０．５５７、実施例５の明暗比は０．７１７である。
照射面である光拡散板等が発光装置に対して非常に近い場合、図８に示す配光特性には現れない発光装置自体の輝度分布の影響が現れるため、実施例３の発光装置では照射面に光軸上が暗く、その周囲が明るいドーナツ状の明暗形状が現れる。これに対し、実施例４および５では発光装置の輝度均一性が良いため、照射面光軸近傍の明暗形状の発生を抑制することが可能となるためである。
【００７３】
実施例３及び４の結果から、封止部材１０８の光軸近傍の曲率がその他の部分の曲率よりも小さい場合には、光軸上とその周囲における封止部材内での光路長の差が小さくなるため光軸方向へ抜ける光量差が小さくなり、均一性が向上する。
また、実施例５の発光装置で均一性が最も良い理由は、実施例４において最も輝度の高い、封止部材底部周囲の白色ソルダーレジストからの反射光を、封止部材自体によって遮蔽、散乱させるためだと考えられる。
この時の上部１０と下部２０の直径の差は、例えば下部２０の直径に対して上部１０の直径が１．１〜２．０倍程度、好ましくは１．２〜１．５倍程度である。なお、この直径比は封止部材のアスペクト比や配光特性によって変化するため、前述の範囲に限定されるものではない。
【産業上の利用可能性】
【００７４】
本発明の発光装置は、液晶ディスプレイのバックライト光源、各種照明器具などに利用することができる。
【符号の説明】
【００７５】
１００、２００、３００、４００  発光装置
１０１  基体
１０２  導体配線
１０３  接続部材
１０４  絶縁部材
１０５  発光素子
１０６  アンダーフィル
１０８  封止部材
１０９  波長変換部材
Ｌ  光軸
２０１  ＬＥＤパッケージ
２０３  反射部材
２０４  端子
２０５  逆テーパー部
【図１】
2019161239.tif 000003
【図２】
2019161239.tif 000004
【図３】
2019161239.tif 000005
【図４】
2019161239.tif 000006
【図５】
2019161239.tif 000007
【図６】
2019161239.tif 000008
【図７】
2019161239.tif 000009
【図８】
2019161239.tif 000010
【図９】
2019161239.tif 000011
【図１０】
2019161239.tif 000012
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
導体配線を有する基体と、
前記基体上に載置され、前記導体配線と電気的に接続された発光素子と、
前記発光素子を被覆する透光性の封止部材と、を備え、
前記封止部材は凸形状であり、その光軸方向の高さが、前記封止部材の底面の幅よりも長く、かつ、光拡散材を含有し、
前記封止部材は、上面視において外形が円形もしくは楕円形であり、
前記凸形状は、側面が前記基体に対して略垂直となる下部と、前記下部の径よりも大きい径の上部と、を有し、前記光軸近傍の曲率がその他の部分の曲率よりも小さいことを特徴とする発光装置。
【請求項２】
前記光軸方向の高さを、前記封止部材の底面の半径で割ったアスペクト比が２．０以上である請求項１に記載の発光装置。
【請求項３】
前記発光素子が、前記基体から０．５ｍｍ以内の高さに配置される請求項１または２に記載の発光装置。
【請求項４】
前記封止部材に被覆された前記発光素子が前記基体に複数載置されており、隣接する前記発光素子の間隔が２０ｍｍ以上とされている請求項１〜３のいずれか１項に記載の発光装置。
【請求項５】
前記発光素子の周囲に波長変換部材を有する請求項１〜４のいずれか１項に記載の発光装置。
【請求項６】
前記波長変換部材の前記光軸方向の高さが、前記封止部材の光軸方向の高さの１／２以下である請求項５に記載の発光装置。
【請求項７】
前記波長変換部材の幅が、前記封止部材の幅の４／５以下である請求項５または６に記載の発光装置。
【請求項８】
前記封止部材が蛍光体を含有する請求項１〜７のいずれか１項に記載の発光装置。
【請求項９】
前記封止部材が蛍光体を含有しており、前記波長変換部材の発光波長が、前記蛍光体の発光波長よりも長波である請求項５〜７のいずれか１項に記載の発光装置。